(57)【特許請求の範囲】
【請求項１】
洗浄槽の洗浄空間の底部から湯水を吸引して外部に排出する排水ポンプと、
前記洗浄空間からの空気吸引口と前記洗浄空間への空気供給口とに亘る通風経路を通して通風手段にて循環される前記洗浄空間の空気を、除湿用の湯水との接触により冷却することにより、空気中の水分を凝縮させて除湿する除湿部と、
前記洗浄空間の空気を加熱する加熱手段と、
前記洗浄空間への湯水供給の断続と前記除湿部への湯水供給の断続とを行う湯水断続手段と、
前記洗浄空間内の洗浄対象物を洗浄する洗浄処理、前記洗浄対象物をすすぐすすぎ処理、及び、前記洗浄対象物を乾燥する乾燥処理を実行する制御手段とが設けられ、
前記制御手段が、
前記洗浄処理及び前記すすぎ処理において、洗浄用水位の湯水を前記洗浄空間内に貯留して洗浄及びすすぎを行うべく、前記湯水断続手段を制御し、かつ、前記洗浄処理及び前記すすぎ処理の後で、前記洗浄空間内に貯留された湯水を排出すべく、前記排水ポンプを作動させる洗浄用排水運転を実行するように構成され、且つ、
前記乾燥処理において、前記加熱手段にて前記洗浄空間の空気を加熱しながら、前記除湿用の湯水と前記通風経路を通過する空気とを接触させるべく、前記通風手段、前記加熱手段、及び、前記湯水断続手段を制御するように構成された食器洗浄機であって、
前記除湿部が、除湿処理後の湯水及び凝縮水を前記洗浄槽内に流動させるように構成され、
前記制御手段が、前記乾燥処理において、前記洗浄空間の底部に貯留される湯水が湯水増加水位になると、前記排水ポンプを作動させて、その湯水増加水位の湯水を排出する乾燥用排水運転を繰り返すように構成され、
前記空気吸引口及び前記空気供給口が、前記洗浄空間の側壁部における下位側箇所に形成され、
前記通風経路が、前記空気吸引口から上方側に伸びる上昇経路部分とその上昇経路部分の上端部から前記空気供給口に向けて下方側に伸びる下降経路部分とからなる逆Ｕ字状に構成され、
前記除湿部が、
前記通風経路における前記上昇経路部分を通過する空気に対して除湿用の湯水を下方に向けて噴出させる噴出手段を備えて、前記上昇経路部分を上方に向けて通風する空気を、前記噴出手段により下方に向けて噴出される除湿用の湯水との接触により冷却することにより、空気中の水分を凝縮させて除湿するように構成され、且つ、除湿処理後の湯水及び凝縮された湯水が前記空気吸引口を通して前記洗浄空間内に流動させるように構成されている食器洗浄機。
【請求項２】
前記洗浄空間に貯留される湯水の水位が前記湯水増加水位であることを検出する水位検出手段が設けられ、
前記制御手段が、前記乾燥用排水運転において、前記水位検出手段にて前記湯水増加水位が検出されると、前記排水ポンプを乾燥排水用の設定時間が経過するまで作動させるように構成されている請求項１記載の食器洗浄機。
【請求項３】
前記水位検出手段が、前記洗浄空間に貯留される湯水の水位が前記洗浄用水位及びその洗浄用水位よりも低い湯水排出水位であることを検出するように構成され、
前記制御手段が、前記洗浄用排水運転を実行するときに、前記水位検出手段にて前記洗浄用水位から前記湯水排出水位であることが検出されるまでの移行時間を計測するように構成され、且つ、前記乾燥用排水運転において、前記洗浄用排水運転での排水能力と同じ排水能力にて前記排水ポンプを作動させ、かつ、前記移行時間に基づいて、前記乾燥排水用の設定時間を設定するように構成されている請求項２記載の食器洗浄機。
【請求項４】
前記制御手段が、前記洗浄用排水運転において、前記水位検出手段にて前記湯水排出水位が検出されると、前記排水ポンプを洗浄排水用の設定時間が経過するまで継続して作動させるように構成され、且つ、前記移行時間に基づいて、前記洗浄排水用の設定時間を設定するように構成されている請求項３記載の食器洗浄機。
【請求項５】
前記制御手段が、計測した前記移行時間を記憶するように構成され、且つ、前記洗浄用排水運転を開始したときに、前記水位検出手段が前記洗浄用水位よりも下方の水位であることを検出した場合には、前記記憶した前記移行時間を、計測した前記移行時間として用いるように構成されている請求項３又は４記載の食器洗浄機。
【発明の詳細な説明】
【技術分野】
【０００１】
本発明は、洗浄槽の洗浄空間の底部から湯水を吸引して外部に排出する排水ポンプと、前記洗浄空間からの空気吸引口と前記洗浄空間への空気供給口とに亘る通風経路を通して通風手段にて循環される前記洗浄空間の空気を、除湿用の湯水との接触により冷却することにより、空気中の水分を凝縮させて除湿する除湿部と、前記洗浄空間の空気を加熱する加熱手段と、前記洗浄空間への湯水供給の断続と前記除湿部への湯水供給の断続とを行う湯水断続手段と、前記洗浄空間内の洗浄対象物を洗浄する洗浄処理、前記洗浄対象物をすすぐすすぎ処理、及び、前記洗浄対象物を乾燥する乾燥処理を実行する制御手段とが設けられ、前記制御手段が、前記洗浄処理及び前記すすぎ処理において、洗浄用水位の湯水を前記洗浄空間内に貯留して洗浄及びすすぎを行うべく、前記湯水断続手段を制御し、かつ、前記洗浄処理及び前記すすぎ処理の後で、前記洗浄空間内に貯留された湯水を排出すべく、前記排水ポンプを作動させる洗浄用排水運転を実行するように構成され、且つ、前記乾燥処理において、前記加熱手段にて前記洗浄空間の空気を加熱しながら、前記除湿用の湯水と前記通風経路を通過する空気とを接触させるべく、前記通風手段、前記加熱手段、及び、前記湯水断続手段を制御するように構成された食器洗浄機に関する。
【背景技術】
【０００２】
かかる食器洗浄機は、皿や茶碗等の食器類を洗浄するのに使用されるものである。
すなわち、食器洗浄機は種々の使用形態にて使用されるものであるが、その標準的な使用形態は、洗浄空間内に洗浄対象物が収納された状態において、洗浄空間内に洗浄用の湯水を供給して、その洗浄用の湯水を洗浄空間内に装備した洗浄ノズルから洗浄水として噴出する洗浄処理を行い、次に、洗浄用排水運転により、洗浄空間内の湯水を排出したのち、洗浄空間内にすすぎ用の湯水を供給して、そのすすぎ用の湯水を洗浄空間内に装備した洗浄ノズルから噴出するすすぎ処理を行い、その後、洗浄用排水運転により、洗浄空間内の湯水を排出したのち、乾燥処理を行う形態である。
【０００３】
また、上記した食器洗浄機は、乾燥処理として、加熱手段にて洗浄空間の空気を加熱しながら、通風経路を通過する空気を、除湿用の湯水との接触により冷却することにより、空気中の水分を凝縮させて除湿することを行うものであるから、乾燥処理を行う際に、湿った空気が機外に排出されることがないため、湿った空気が、使用者や食器洗浄機が設置されている箇所に存在する他の機器類に吹き付けられることを抑制できるものとなり、使用勝手がよいものとなる。
【０００４】
このような食器洗浄機の従来例として、除湿部が、機外への排水路に備えさせた排水トラップに除湿処理後の湯水を排出するように構成されて、除湿処理後の湯水が、除湿処理後においては直ちに機外に排出され、また、除湿部にて凝縮された凝縮水が、除湿処理後の湯水と同様に、排水路の排水トラップに排出されるように構成されたものがある（例えば、特許文献１参照。）。
【０００５】
この特許文献１においては、排水路に備えさせた排水トラップに排出される除湿処理後の湯水及び凝縮水の流動についての詳しい説明はないが、図面には、除湿部が排水トラップよりも上方に位置し、そして、排水トラップを備える排水路の先端に接続される外部接続ホースが、排水トラップよりも下方に伸びるように配設されることが記載されているので、落差を利用して、除湿後の湯水及び凝縮水を流動させるものであると思われる。
また、この特許文献１には、乾燥処理についての詳細な説明が記載されていないが、乾燥処理においては、洗浄空間の底部に備えられた加熱手段としてのヒータを作動させて、洗浄空間内の空気を加熱させることになる。
【先行技術文献】
【特許文献】
【０００６】
【特許文献１】特開平８−１３１３９１号公報
【発明の概要】
【発明が解決しようとする課題】
【０００７】
上記した従来の食器洗浄機においては、除湿部からの除湿処理後の湯水及び凝縮水を、落差を利用して流動させるように構成されるものであるが、食器洗浄機の設置形態によっては、落差を用いるだけでは、除湿部からの除湿処理後の湯水及び凝縮水を的確に流動させることができないものであり、改善が望まれるものであった。
【０００８】
つまり、食器洗浄機から延設される外部接続ホースは、水平方向に延びる状態で配設されて、設置箇所の排水管に接続されることが多く、この場合には、除湿部からの除湿処理後の湯水及び凝縮水を、落差を利用して外部に排出することができると考えられる。
しかしながら、食器洗浄機の設置箇所によっては、その設置箇所の排水管が排水路の排水トラップよりも上方に位置する場合があり、このような場合には、食器洗浄機から延設する外部接続ホースを上方に延びる状態で配設して、設置箇所の排水管に接続することになり、このような場合には、除湿部からの除湿用の湯水及び凝縮水を、落差を用いるだけでは、設置箇所の排水管に流動させることができないものであり、改善が望まれるものであった。
【０００９】
本発明は、上記実情に鑑みて為されたものであって、その目的は、本来構成を有効利用した簡素な構成にて、しかも、ランニングコストの低下を図る形態にて、除湿部からの除湿用の湯水及び凝縮水を的確に外部に排出することができる食器洗浄機を提供する点にある。
【課題を解決するための手段】
【００１０】
本発明の食器洗浄機は、洗浄槽の洗浄空間の底部から湯水を吸引して外部に排出する排水ポンプと、
前記洗浄空間からの空気吸引口と前記洗浄空間への空気供給口とに亘る通風経路を通して通風手段にて循環される前記洗浄空間の空気を、除湿用の湯水との接触により冷却することにより、空気中の水分を凝縮させて除湿する除湿部と、
前記洗浄空間の空気を加熱する加熱手段と、
前記洗浄空間への湯水供給の断続と前記除湿部への湯水供給の断続とを行う湯水断続手段と、
前記洗浄空間内の洗浄対象物を洗浄する洗浄処理、前記洗浄対象物をすすぐすすぎ処理、及び、前記洗浄対象物を乾燥する乾燥処理を実行する制御手段とが設けられ、
前記制御手段が、
前記洗浄処理及び前記すすぎ処理において、洗浄用水位の湯水を前記洗浄空間内に貯留して洗浄及びすすぎを行うべく、前記湯水断続手段を制御し、かつ、前記洗浄処理及び前記すすぎ処理の後で、前記洗浄空間内に貯留された湯水を排出すべく、前記排水ポンプを作動させる洗浄用排水運転を実行するように構成され、且つ、
前記乾燥処理において、前記加熱手段にて前記洗浄空間の空気を加熱しながら、前記除湿用の湯水と前記通風経路を通過する空気とを接触させるべく、前記通風手段、前記加熱手段、及び、前記湯水断続手段を制御するように構成されたものであって、その第１特徴構成は、
前記除湿部が、除湿処理後の湯水及び凝縮水を前記洗浄槽内に流動させるように構成され、
前記制御手段が、前記乾燥処理運転において、前記洗浄空間の底部に貯留される湯水が湯水増加水位になると、前記排水ポンプを作動させて、その湯水増加水位の湯水を排出する乾燥用排水運転を繰り返すように構成され、
前記空気吸引口及び前記空気供給口が、前記洗浄空間の側壁部における下位側箇所に形成され、
前記通風経路が、前記空気吸引口から上方側に伸びる上昇経路部分とその上昇経路部分の上端部から前記空気供給口に向けて下方側に伸びる下降経路部分とからなる逆Ｕ字状に構成され、
前記除湿部が、
前記通風経路における前記上昇経路部分を通過する空気に対して除湿用の湯水を下方に向けて噴出させる噴出手段を備えて、前記上昇経路部分を上方に向けて通風する空気を、前記噴出手段により下方に向けて噴出される除湿用の湯水との接触により冷却することにより、空気中の水分を凝縮させて除湿するように構成され、且つ、除湿処理後の湯水及び凝縮された湯水が前記空気吸引口を通して前記洗浄空間内に流動させるように構成されている点を特徴とする。
【００１１】
すなわち、除湿部からの除湿処理後の湯水及び凝縮水が、洗浄槽内に流動されることになる。
除湿部からの除湿処理後の湯水及び凝縮水が洗浄槽内に流動されると、洗浄槽内の洗浄空間の底部には、湯水が貯留されることになるが、その貯留される湯水が湯水増加水位になると、その湯水を排水ポンプにより排出する乾燥用排水運転が行われることになる。
【００１２】
つまり、乾燥処理を行うときには、除湿部からの除湿処理後の湯水及び凝縮水が洗浄槽内に流動され、そして、洗浄槽内の洗浄空間の底部に貯留される湯水が湯水増加水位になると、乾燥用排水運転を行うことが繰り返されることになる。
ちなみに、湯水増加水位とは、洗浄槽内の洗浄対象物や加熱手段を浸漬させない水位に定めることになる。
【００１３】
このように、除湿部からの除湿処理後の湯水及び凝縮水を、洗浄槽内に流動させて、排水ポンプを用いて、外部に排出するものであるから、排水ポンプの排出能力を用いて、除湿部からの除湿処理後の湯水及び凝縮水を的確に外部に排出することができる。
【００１４】
しかも、洗浄処理やすすぎ処理のために洗浄空間に貯留された湯水を排出するために備えられている排水ポンプを用いて、除湿部からの除湿処理後の湯水及び凝縮水を外部に排出するものであるから、本来構成を有効利用した簡素な構成にて、除湿部からの除湿処理後の湯水及び凝縮水を的確に外部に排出することができるのである。
【００１５】
さらに、洗浄槽内の洗浄空間の底部に貯留される湯水が湯水増加水位になると、乾燥用排水運転を行うことを繰り返すようにするものであるから、例えば、乾燥処理中は、除湿部からの除湿処理後の湯水及び凝縮水が洗浄槽に流動する単位時間当たりの流量に合わせた排出能力にて排水ポンプを連続的に作動させながら、洗浄槽内に流動される除湿部からの除湿処理後の湯水及び凝縮水を連続的に排出するように構成する場合に較べて、ランニングコストの低下を図ることができる。
【００１６】
要するに、本発明の第１特徴構成によれば、本来構成を有効利用した簡素な構成にて、しかも、ランニングコストの低下を図る形態にて、除湿部からの除湿用の湯水及び凝縮水を的確に外部に排出することができる食器洗浄機を提供できる。
また、本発明の第１特徴構成によれば、空気吸引口及び空気供給口が、洗浄空間の側壁部における下位側箇所に形成され、且つ、通風経路が、空気吸引口から上方側に伸びる上昇経路部分とその上昇経路部分の上端部から空気供給口に向けて下方側に伸びる下降経路部分とからなる逆Ｕ字状に構成されているから、洗浄空間内の残菜類が通風経路内に詰まることを抑制できる。
説明を加えると、洗浄処理の際やすすぎ処理の際に、洗浄対象物に付着していた残菜類が空気吸引口や空気供給口を通して通風経路内に飛散する虞があるが、上昇経路部分は空気吸引口を最も下側に位置する状態で上下方向に伸びるものであり、下降経路部分は空気供給口を最も下側に位置する状態で上下方向に伸びるものであるから、通風経路内に飛散した残菜類が通風経路の上部側には移行することが無く、また、通風経路内に飛散した残菜類は通風経路内を自重落下して洗浄空間内に戻るから、洗浄空間の残菜類が通風経路内に詰まることを抑制できるものとなる。
また、空気吸引口及び空気供給口が、洗浄空間の側壁部における下位側箇所に形成されているので、上昇経路部分と下降経路部分とからなる逆Ｕ字状に構成される通風経路を、空気吸引口及び空気供給口が形成される箇所から上方に向けて大きく伸びる状態で形成することができ、残菜類が引っかかり易い通風手段や除湿部を、空気吸引口及び空気供給口から大きく上方に離れた位置に配置させることができ、通風経路内に飛散した残菜類が通風手段や除湿部にまで侵入して付着することを回避し易いものにできる。
そして、除湿部が、通風手段の通風作動によって上昇経路部分を上方に向けて通過する空気に対して噴出手段により除湿用水を下方に向けて噴出させ、上昇経路部分を上方に向けて通過する空気を噴出させる除湿用水との接触により冷却して空気中の水分を凝縮させるものであるから、除湿用水の使用量を少なくしながら洗浄空間内の空気の除湿を行うことが可能となる。
説明を加えると、上方に向けて通過する空気と噴出手段により下方側に噴出させる除湿用水とを接触させて空気中の水分を凝縮させるものであるから、空気と噴出させる除湿用の湯水とが対向する方向にて移動しながら接触させることになり、下方に向けて噴出される除湿用の湯水が上方に向けて通風してくる除湿前の空気と順次接触することになり、下方に向かう除湿用の湯水が空気と接触して空気中の水分を凝縮させる状態が長い領域にわたって続くことになる。
その結果、乾燥処理を実行するときに、除湿用の湯水の使用量を少なくしながら洗浄空間内の空気の除湿を行うことが可能となるのである。
従って、本発明の第１特徴構成によれば、上記作用効果に加えて、洗浄処理やすすぎ処理において飛散する残菜類が通風経路に詰まることを回避して、長期にわたり良好に使用することができ、しかも、除湿のために使用する湯水の使用量の少量化を図りながら洗浄空間内の空気の除湿を行うことが可能となる食器洗浄機を提供できる。
【００１７】
本発明の第２特徴構成は、上記した第１特徴構成に加えて、
前記洗浄空間に貯留される湯水の水位が前記湯水増加水位であることを検出する水位検出手段が設けられ、
前記制御手段が、前記乾燥用排水運転において、前記水位検出手段にて前記湯水増加水位が検出されると、前記排水ポンプを乾燥排水用の設定時間が経過するまで作動させるように構成されている点を特徴とする。
【００１８】
すなわち、洗浄空間に貯留される湯水の水位を検出する水位検出手段にて湯水増加水位が検出されると、排水ポンプを乾燥排水用の設定時間が経過するまで作動させるようにする形態にて乾燥用排水運転が行われることになる。
【００１９】
したがって、湯水増加水位であることを水位検出手段にて直接的に検出しながら、乾燥用排水運転を行うものであるから、湯水増加水位を的確に検出できるため、乾燥処理中において、洗浄空間に多量の湯水を貯留して、洗浄対象物や加熱手段を浸漬させる等の不都合が生じることを回避できる。
つまり、例えば、乾燥処理を行うときの経過時間に基づいて、洗浄空間に貯留される湯水の水位が湯水増加水位であることを推定する形態にて、乾燥用排水運転を行うようにすることが考えられる、この場合には、除湿部からの除湿処理後の湯水の量や凝縮水の量の変動により、乾燥処理中において洗浄空間に多量の湯水が貯留されてしまう不都合を招く虞があるが、このような不都合を回避できるのである。
【００２０】
また、排水ポンプを乾燥排水用の設定時間が経過するまで作動させるようにする形態にて乾燥用排水運転を行うものであるから、水位検出手段の構成の簡素化を図りながら、乾燥用排水運転を行うことができる。
つまり、例えば、水位検出手段にて、洗浄空間内に貯留されている湯水の量が空に近い状態に対応する空水位であることを検出させて、水位検出手段が空水位を検出すると、排水ポンプを停止する形態にて乾燥用排水運転を行うようにすることが考えられるが、この場合には、空水位を検出するために水位検出手段の構成が複雑になる不都合があるが、このような不都合を回避できるのである。
【００２１】
要するに、本発明の第２特徴構成によれば、上記した第１特徴構成による作用効果に加えて、乾燥処理中において、洗浄空間に多量の湯水を貯留して、洗浄対象物や加熱手段を浸漬させる等の不都合が生じることを回避でき、しかも、水位検出手段の構成の簡素化を図りながら、乾燥用排水運転を行うことができる食器洗浄機を提供できる。
【００２２】
本発明の第３特徴構成は、上記した第２特徴構成に加えて、
前記水位検出手段が、前記洗浄空間に貯留される湯水の水位が前記洗浄用水位及びその洗浄用水位よりも低い湯水排出水位であることを検出するように構成され、
前記制御手段が、前記洗浄用排水運転を実行するときに、前記水位検出手段にて前記洗浄用水位から前記湯水排出水位であることが検出されるまでの移行時間を計測するように構成され、且つ、前記乾燥用排水運転において、前記洗浄用排水運転での排水能力と同じ排水能力にて前記排水ポンプを作動させ、かつ、前記移行時間に基づいて、前記乾燥排水用の設定時間を設定するように構成されている点を特徴とする。
【００２３】
すなわち、洗浄処理及び前記すすぎ処理の後で、洗浄空間内に貯留された湯水を排出すべく、排水ポンプを作動させる洗浄用排水運転を実行するときに、水位検出手段にて洗浄用水位から湯水排出水位であることが検出されるまでの移行時間が計測される。
そして、乾燥用排水運転において、排水ポンプが、洗浄用排水運転での排水能力と同じ排水能力にて作動され、且つ、洗浄用排水運転を行うときに計測した上述の移行時間に基づいて、乾燥排水用の設定時間が設定されることになる。
【００２４】
このように、洗浄用排水運転を実行するときに、水位検出手段にて洗浄用水位から湯水排出水位であることが検出されるまでの移行時間を計測して、その移行時間に基づいて、乾燥排水用の設定時間を変更調整するものであるから、食器洗浄機から延設される外部接続ホースの設置形態の変化により、排水揚程が変動しても、湯水排出水位で貯留されている湯水を的確に外部に排水できる。
【００２５】
つまり、移行時間が長いということは排水揚程が大きく、移行時間が短いということは排水揚程が小さいということであるから、排水揚程が大きい場合には、乾燥排水用の設定時間を長くし、排水揚程が小さい場合には、乾燥排水用の設定時間を短くするように、乾燥排水用の設定時間を計測された移行時間に応じて設定することにより、排水揚程が変動しても、湯水排出水位で貯留されている湯水を的確に外部に排水できるのである。
【００２６】
ちなみに、乾燥排水用の設定時間を、排水揚程が大きい場合に対応した時間に定めておくと、排水揚程が小さい場合には、乾燥排水用の設定時間が経過するまでに、洗浄空間に貯留されている湯水が少なくなって、排水ポンプにエアー噛みが発生して、騒音を発生する不都合を招く虞があり、また、乾燥排水用の設定時間を、排水揚程が小さい場合に対応した時間に定めておくと、排水揚程が大きい場合には、乾燥排水用の設定時間が経過しても、洗浄空間に多量の湯水が残存することになるため、排水ポンプを起動する頻度が多くなって、排水ポンプを起動させる際の消費エネルギーが多いことに起因して、ランニングコストが高くなる不都合を招く虞がある。
【００２７】
尚、計測した移行時間に基づいて、乾燥排水用の設定時間を定める形態は種々考えられるものであるが、例えば、洗浄用水位から湯水排出水位になるまでに排水ポンプにて排出される湯水の量を、移行時間にて除算して、排水ポンプの単位時間当たりの排水量を求め、この単位時間当たりの排水量にて、湯水増加水位において洗浄空間に残存する湯水の量を除算することにより、湯水増加水位において洗浄空間に残存する湯水の量を排水ポンプにて排出するのに要する時間を求めることができるから、この時間あるいはこの時間に余裕時間を加えて時間を、乾燥排水用の設定時間として設定できることになる。
【００２８】
要するに、本発明の第３特徴構成によれば、上記した第２特徴構成による作用効果に加えて、排水揚程が変動しても、湯水排出水位で貯留されている湯水を的確に外部に排水できる食器洗浄機を提供できる。
【００２９】
本発明の第４特徴構成は、上記第３特徴構成に加えて、
前記制御手段が、前記洗浄用排水運転において、前記水位検出手段にて前記湯水排出水位が検出されると、前記排水ポンプを洗浄排水用の設定時間が経過するまで継続して作動させるように構成され、且つ、前記移行時間に基づいて、前記洗浄排水用の設定時間を変更調整するように構成されている点を特徴とする。
【００３０】
すなわち、洗浄処理及び前記すすぎ処理の後で、洗浄空間内に貯留された湯水を排出すべく、排水ポンプを作動させる洗浄用排水運転が、洗浄空間に貯留される湯水の水位を検出する水位検出手段にて湯水排出水位が検出されると、排水ポンプを洗浄排水用の設定時間が経過するまで作動させるようにする形態にて行われることになる。
【００３１】
また、洗浄用排水運転を実行するときに計測した、水位検出手段にて洗浄用水位から湯水排出水位であることが検出されるまでの移行時間に基づいて、洗浄排水用の設定時間が変更調整されることになる。
【００３２】
このように、洗浄用排水運転が、水位検出手段にて湯水排出水位が検出されると、排水ポンプを洗浄排水用の設定時間が経過するまで作動させ、かつ、水位検出手段にて洗浄用水位から湯水排出水位であることが検出されるまでの移行時間に基づいて、洗浄排水用の設定時間を変更調整する形態にて行われるものであるから、洗浄処理やすすぎ処理において洗浄空間に貯留された湯水を的確に排出することができる。
【００３３】
つまり、洗浄用排水運転を、その開始から終了するまでの運転時間を定めて、その運転時間が経過するまで排水ポンプを作動させる形態で実施すると、食器洗浄機から延設される排水パイプの設置形態の変化により、排水揚程が変動すると、運転時間に大きな過不足が生じるものとなるが、洗浄空間に貯留されている湯水の水位が湯水排出水位に達してから洗浄排水用の設定時間が経過するまで排水ポンプを作動させるものであり、しかも、洗浄用排水運転を実行するときに、水位検出手段にて洗浄用水位から湯水排出水位であることが検出されるまでの移行時間を計測して、その移行時間に基づいて、洗浄排水用の設定時間を設定するものであるから、食器洗浄機から延設される排水パイプの設置形態の変化により、排水揚程が大きく変動しても、洗浄空間に貯留された湯水を的確に排出することができるものとなる。
【００３４】
つまり、移行時間が長いということは排水揚程が大きく、移行時間が短いということは排水揚程が小さいということであるから、排水揚程が大きい場合には、洗浄排水用の設定時間を長くし、排水揚程が小さい場合には、洗浄排水用の設定時間を短くするように、洗浄排水用の設定時間を計測された移行時間に応じて設定することにより、排水揚程が変動しても、洗浄空間に貯留された湯水を的確に排出することができるのである。
【００３５】
ちなみに、洗浄排水用の設定時間を、排水揚程が大きい場合に対応した時間に定めておくと、排水揚程が小さい場合には、洗浄排水用の設定時間が経過するまでに、洗浄空間に貯留されている湯水が少なくなって、排水ポンプにエアー噛みが発生して、騒音を発生する不都合を招く虞があり、また、洗浄排水用の設定時間を、排水揚程が小さい場合に対応した時間に定めておくと、排水揚程が大きい場合には、洗浄排水用の設定時間が経過しても、洗浄空間に多量の湯水が残存することになるため、排水ポンプを起動する頻度が多くなって、排水ポンプを起動させる際の消費エネルギーが多いことに起因して、ランニングコストが高くなる不都合を招く虞がある。
【００３６】
尚、計測した移行時間に基づいて、洗浄排水用の設定時間を定める形態は種々考えられるものであるが、例えば、洗浄用水位から湯水排出水位になるまでに排水ポンプにて排出される湯水の量を、移行時間にて除算して、排水ポンプの単位時間当たりの排水量を求め、この単位時間当たりの排水量にて、湯水排出水位において洗浄空間に残存する湯水の量を除算することにより、湯水排出水位において洗浄空間に残存する湯水の量を排水ポンプにて排出するのに要する時間を求めることができるから、この時間あるいはこの時間に余裕時間を加えて時間を、洗浄排水用の設定時間として設定できるものとなる。
【００３７】
要するに、本発明の第４特徴構成によれば、上記した第３特徴構成による作用効果に加えて、排水揚程が変動しても、洗浄処理及び前記すすぎ処理の後で、洗浄空間内に貯留された湯水を的確に外部に排水できる食器洗浄機を提供できる。
【００３８】
本発明の第５特徴構成は、上記した第３又は第４特徴構成に加えて、
前記制御手段が、計測した前記移行時間を記憶するように構成され、且つ、前記洗浄用排水運転を開始したときに、前記水位検出手段が前記洗浄用水位よりも下方の水位であることを検出した場合には、前記記憶した前記移行時間を、計測した前記移行時間として用いるように構成されている点を特徴とする。
【００３９】
すなわち、洗浄用排水運転を開始したときに、水位検出手段が洗浄用水位よりも下方の水位であることを検出した場合には、記憶している移行時間が、計測する移行時間として用いられることになる。
【００４０】
つまり、例えば、洗浄空間に洗浄用水位の湯水を貯留しておいても、洗浄処理を行うときに、多量の泡が発生して、泡の生成に多量の湯水が使用されることにより、洗浄処理後において、洗浄空間に貯留されている湯水の水位が、洗浄用水位よりも低くなることが考えられる等、洗浄用排水運転を開始したときに、水位検出手段が洗浄用水位よりも下方の水位であることを検出する場合があるが、このような場合には、記憶している移行時間が、計測する移行時間として用いられることになるのである。
【００４１】
要するに、本発明の第５特徴構成によれば、上記した第３又は第４特徴構成による作用効果に加えて、洗浄用排水運転を開始したときの水位が洗浄用水位よりも低いときにも、水位検出手段にて洗浄用水位から湯水排出水位であることが検出されるまでの移行時間を定めることができる食器洗浄機を提供できる。
【図面の簡単な説明】
【００５０】
【図１】食器洗浄機の斜視図
【図２】洗浄槽を収納した状態の切欠側面図
【図３】前面の扉体を取り外した洗浄槽を前方側から見た斜視図
【図４】洗浄槽を背面側から見た斜視図
【図５】食器洗浄機の概略構成図
【図６】乾燥用空気の流動状態を示す概略斜視図
【図７】水位検出センサの切欠斜視図
【図８】同センサの斜視図
【図９】同センサの斜視図
【図１０】湯水排出水位の検出状態の縦断側面図
【図１１】洗浄用水位の検出状態の縦断側面図
【図１２】異常水位の検出状態の縦断側面図
【図１３】フロートの斜視図
【図１４】制御構成を示すブロック図
【図１５】制御作動を示すフローチャート
【図１６】制御作動を示すフローチャート
【図１７】制御作動を示すフローチャート
【発明を実施するための形態】
【００５１】
〔実施形態〕
次に、本発明の実施形態を図面に基づいて説明する。
図１〜図４に示すように、前面部が開口された本体ケース部としての本体部１が設けられ、平面視形状が四角状の洗浄槽Ｄを備えた引出し部２が、本体部１に対して、水平方向に沿って引出し及び収納自在に設けられて、食器洗浄機の一例としての引出し式の食器洗浄機が構成されている。
尚、例示はしないが、引出し部２を本体部１に対して移動自在に支持するスライド式レール機構が設けられており、引出し部２が、その大部分を本体部１の外方に露出させる状態に引き出すことができるように構成されている。
【００５２】
そして、引出し部２を本体部１に収納した状態において洗浄槽Ｄの上面部を閉塞する内蓋部３が、引出し部２を本体部１から引き出した状態では洗浄槽Ｄの上面部を開口するように、引出し部２の引き出し及び収納に伴って自動的に開閉される形態で設けられており、洗浄槽Ｄの内部空間にて、開閉自在な洗浄空間Ｑが構成されている。
尚、図２に示すように、本体部１の底部には、漏水受止め用のドレンパン１４が配備されており、例示はしないが、このドレンパン１４にて受止め回収された水の存否を検出する漏水センサが装備されることになる。
【００５３】
引出し部２の前面部には、本体部１の前面部の開口を開閉する扉体Ａが設けられ、その扉体Ａには、引出し部２を本体部１から引き出すときや収納するときに把持するための把持部Ｂが設けられている。尚、詳述はしないが、把持部Ｂの内方側箇所には、引出し部２を本体部１に収納するに伴って本体部１の係止部Ｐａに係合する係合手段Ｐが設けられており、この係合手段Ｐが係止部Ｐａに係合することにより、引出し部２を本体部１に収納した状態に保持するようになっている。そして、係合手段Ｐは、引出し部２を本体部１から引き出すときに把持部Ｂを支持する手指にて、係合を解除する解除状態に操作できるようになっている。
また、扉体Ａには、運転のための各種操作を行う操作部ＳＳが設けられている。
【００５４】
図２及び図５に示すように、上水道等の給水源に接続された給水路４Ａ、その給水路４Ａから分岐される洗浄槽用分岐路４Ｂ、及び、給水路４Ａから分岐される除湿用分岐路４Ｃが設けられている。
洗浄槽用分岐路４Ｂは、洗浄槽Ｄの洗浄空間Ｑ内に洗浄及びすすぎのための湯水を供給する給水口５に接続され、除湿用分岐路４Ｃは、洗浄槽Ｄの前側壁部Ｄｆに装備される後述の除湿部Ｇに接続されている。
【００５５】
そして、給水路４Ａを開閉する第１開閉弁Ｖ１と、洗浄槽用分岐路４Ｂを開閉する第２開閉弁Ｖ２と、除湿用分岐路４Ｃに装備されて、第１開閉弁Ｖ１及び前記第２開閉弁の開き状態において、その除湿用分岐路４Ｃを通流する湯水の通流量が洗浄槽用分岐路４Ｂを通流する湯水の通流量よりも少なくなるように制限する定流量弁Ｖ３とが設けられ、第１開閉弁Ｖ１、第２開閉弁Ｖ２、及び、定流量弁Ｖ３から、給水口５への湯水供給の断続と前記除湿部Ｇへの湯水供給の断続とを行う湯水断続手段Ｅが構成されている。
【００５６】
つまり、洗浄空間Ｑに湯水を供給するときには、第１開閉弁Ｖ１、及び、第２開閉弁Ｖ２が開かれることになり、除湿部Ｇだけに湯水を供給するときには、第１開閉弁Ｖ１が開かれ、第２開閉弁Ｖ２が閉じられることになる。
尚、第１開閉弁Ｖ１には、洗浄槽用分岐路４Ｂを通流する湯水の通流量を、除湿用分岐路４Ｃを通流する湯水の通流量（例えば、２００ｍｌ／分）よりも十分に大きい通流量ではあるものの、過大な通流量なることを抑制すべく制限する定流量弁Ｖ４が、一体的に組み込まれる状態で装備されている。
【００５７】
また、第１開閉弁Ｖ１、第２開閉弁Ｖ２、及び、定流量弁Ｖ３が、本体部１の背部側箇所に配設され、洗浄槽用分岐路４Ｂにおける第２開閉弁Ｖ２と給水口５とを接続する部分が、可撓性ホースＲ１にて構成され、除湿用分岐路４Ｃにおける定流量弁Ｖ３と除湿部Ｇとを接続する部分が、可撓性ホースＲ２にて構成されている。
【００５８】
また、図２及び図５に示すように、引出し部２における洗浄槽Ｄの底部下方には、正転で洗浄用ポンプとして機能し、逆転で排水用ポンプとして機能する兼用ポンプ６が設けられ、洗浄槽Ｄの洗浄空間Ｑの内部には、洗浄用ノズル８や加熱手段としての電気式の加熱ヒータ９などが配置され、さらに、食器などの洗浄対象物を収納載置する洗浄かご１０が、洗浄槽Ｄの内部に着脱自在に装着されている。
【００５９】
兼用ポンプ６は、洗浄槽Ｄの底部に形成した水貯留用凹部Ｓに、吸引管１１にて接続され、かつ、排水管１２が接続されている。
つまり、兼用ポンプ６は、正転状態においては、洗浄空間Ｑの底部に貯留した湯水を洗浄用ノズル８に圧送して、洗浄ノズル８から湯水を噴出させることになり、また、逆転状態においては、排水管１２を通して、洗浄空間Ｑ内に貯留されている湯水を外部に排出することになる。
【００６０】
湯水を外部に排出する構成について説明を加えると、排水管１２が、引き出し部２に装備され、排水トラップ１２Ｂが、本体部１の背部側箇所に配設され、そして、その排水管１２の先端部と排水トラップ１２Ｂとが、排水ホース１２Ａにて接続され、排水トラップ１２Ｂには、外部接続ホース１２Ｃが接続されている。
したがって、外部接続ホース１２Ｃが、食器洗浄機を設置する箇所に装備されている設置箇所の排水管に接続されることにより、洗浄空間Ｑの湯水を外部に排水できるようになっている。
尚、設置箇所の排水管が低位置に配備される場合には、外部接続ホース１２Ｃは、水平方向に伸びる状態で配設されることになるが、設置箇所の排水管が高位置に配備される場合には、外部接続ホース１２Ｃは、上方に向けて延びる状態で配設されることになり、その結果、洗浄空間Ｑの湯水を排出する際の排水揚程が変化することになる。
【００６１】
また、図５に示すように、水貯留用凹部Ｓには、連通路としての案内管１３を介して水位検出手段としての水位検出センサＪが接続されている。
この水位検出センサＪは、後述の如く、洗浄槽Ｄの洗浄空間Ｑ内に貯留される湯水の水位が洗浄用水位Ｙ２（図１１参照）であること、洗浄槽Ｄの洗浄空間Ｑ内に貯留される湯水の水位が、洗浄空間Ｑから大部分の湯水を排出した状態に相当して、加熱ヒータ９が露出する程度に低い湯水排出水位Ｙ１ａ（図１０参照）であること、及び、洗浄槽Ｄ内に貯留される湯水が洗浄用水位Ｙ２より設定量高い異常水位Ｙ３（図１２参照）であることを検出するように構成されている。
また、水位検出センサＪは、図１０に示すように、湯水の水位が湯水排出水位Ｙ１ａから少し高い水位に変化した湯水増加水位Ｙ１ｂを検出できるように構成されており、その詳細は後述する。
【００６２】
尚、本実施形態においては、水位検出センサＪにて洗浄用水位Ｙ２が検出されるときには、洗浄空間Ｑには２．３Ｌ（リットル）の湯水が貯留され、その状態から湯水を排出して湯水排出水位Ｙ１ａが水位検出センサＪにて検出されたときには、洗浄空間Ｑには０．７Ｌ（リットル）に相当する湯水が残存する（貯留される）状態となる。
【００６３】
図２、図３及び図５に示すように、洗浄槽Ｄにおける洗浄空間Ｑを形成する４つの側壁部のうちの、機体前面側、つまり引出し部前面側に相当する前側壁部Ｄｆには、乾燥ユニットＫが取り付けられている。
つまり、前側壁部Ｄｆには、図６にも示すように、乾燥ユニットＫからの空気を洗浄空間Ｑに供給する空気供給口２１、及び、乾燥ユニットＫが洗浄空間Ｑ内の空気を吸引する空気吸引口２２が、洗浄空間Ｑの下位側に相当する箇所でかつ左右両側に離れた位置に形成されている。具体的には、空気供給口２１及び空気吸引口２２は、洗浄かご１０よりも下方側でかつ上述の水貯留用凹部Ｓよりも上方側に位置するように形成され、そして、本実施形態においては、空気供給口２１を右側に、且つ、空気吸引口２２を左側に位置させている。
【００６４】
乾燥ユニットＫは、洗浄槽Ｄの前側壁部Ｄｆに止着されるケーシング２０の内部に、空気吸引口２２と空気供給口２１とに亘る通風経路Ｆを通して洗浄空間Ｑの空気を循環させる通風手段としての循環ファン２３、及び、通風経路Ｆを通して循環される空気を除湿する上述の除湿部Ｇを備えて構成されている。
通風経路Ｆは、空気吸引口２２から上方側に伸びる上昇経路部分ｆ１とその上昇経路部分ｆ１の上端部から空気供給口２１に向けて下方側に伸びる下降経路部分ｆ２とからなる逆Ｕ字状に形成されており、上昇経路部分ｆ１に、除湿部Ｇが配設され、下降経路部分ｆ２に、循環ファン２３が配設されている。
【００６５】
除湿部Ｇは、複数枚の伝熱板２４を板厚方向に沿って間隔を隔てて並置して、それら伝熱板２４に向けて除湿用の湯水を噴出ノズル２５から噴出することによって、複数枚の伝熱板２４の間を通して上方に向けて流動する空気を、伝熱板２４の表面を流下する除湿用水との接触及び伝熱板２４の間を流下する除湿用水との接触により冷却することにより、空気中の水分を凝縮させて除湿するように構成されている。
尚、噴出ノズル２５から噴出された除湿用の湯水及び凝縮された湯水は、空気吸引口２２を通して洗浄槽Ｄの洗浄空間Ｑ内に流動して水貯留用凹部Ｓに貯留されることになる。
【００６６】
そして、電気式の加熱ヒータ９を加熱作用させた状態で、循環ファン２３を通風作動させ且つ噴出ノズル２５から除湿用の湯水を噴出させることにより、洗浄空間Ｑから吸引した空気を除湿部Ｇにて除湿したのち、乾燥用の空気として洗浄空間Ｑに供給し、その供給された空気を電気式の加熱ヒータ９にて加熱することにより、洗浄空間Ｑ内の洗浄対象物を乾燥する乾燥運転を行えるように構成されている。
【００６７】
また、電気式の加熱ヒータ９を停止させた状態で、循環ファン２３の通風作動及び噴出ノズル２５からの除湿用の湯水の噴出作動を行わせることにより、洗浄空間Ｑから吸引した空気中の臭気成分を除湿部Ｇにて除湿用水に吸収させたのち、洗浄空間Ｑに供給することにより、洗浄空間Ｑを消臭する消臭運転を行えるように構成されている。
【００６８】
乾燥運転における空気の流れについて説明を加えると、図６に示すように、洗浄槽Ｄの前側壁部Ｄｆに形成した空気供給口２１から洗浄空間Ｑに供給される空気は、主たる流れとして、上昇しながら後側壁部に向けて流動し、その後、前側壁部Ｄｆにおける下方側で且つ空気供給口２１とは左右方向で離れた位置に形成した空気吸引口２２に向けて下方側に移動しながら流動して、空気吸引口２２から排出される形態で流れることになり、洗浄槽内における空気吸引口２２が位置する側の下方側の部分にも、空気が流動し易いものとなるのである。
したがって、洗浄槽内の洗浄対象物の全体に空気を通流させて、洗浄対象物を効率良く乾燥することにより、乾燥時間の短縮化を図ることができるものとなる。
【００６９】
図５に示すように、引出し部２には、運転を制御する制御手段としての制御部Ｈが装備されている。
そして、この制御部Ｈが、図１４に示すように、操作部ＳＳにて入力される指令に基づいて、兼用ポンプ６を駆動する直流モータ６ａ、電気式の加熱ヒータ９、循環ファン２３、及び、湯水断続手段Ｅの作動を制御して、洗浄槽Ｄの内部にて形成される洗浄空間Ｑの洗浄対象物を洗浄する洗浄処理としての洗浄運転、洗浄対象物のすすぎを行うすすぎ処理としてのすすぎ運転、洗浄槽Ｄの洗浄空間Ｑに貯留された湯水を排水する排水処理としての排水運転、電気式の加熱ヒータ９を加熱作用させた状態で、循環ファン２３の通風作動及び噴出ノズル２５からの除湿用の湯水の噴出作動を行わせる乾燥処理としての乾燥運転、及び、電気式の加熱ヒータ９を停止させた状態で、循環ファン２３の通風作動及び噴出ノズル２５からの除湿用の湯水の噴出作動を行わせる消臭処理としての消臭運転を行うように構成されている。
【００７０】
図１４において、６Ａは、兼用ポンプ６を駆動する直流モータ６ａに印加する駆動電圧を調整する直流モータ駆動回路であり、直流モータ６ａの駆動電圧を、制御部Ｈから指令される指令電圧に調整するように構成されている。
又、Ｌ１は、操作部ＳＳに設けた警報ランプ、Ｌ２は、操作部ＳＳに内蔵した警報ブザー、Ｌ３は、操作部ＳＳに設けた表示部であり、これら警報ランプＬ１、警報ブザーＬ２、及び、表示部Ｌ３にて、異常が発生したときに警報作動する警報手段Ｌが構成されることになる。ちなみに、表示部Ｌ３には、発生した異常の内容に対応するコードが表示されることになる。
尚、図１４において、Ｎは、引出し部２が本体部１の収納位置に収納されたことを検出する収納スイッチ、９Ａは、加熱ヒータ９の駆動回路、２３Ａは、循環ファン２３の駆動電圧を調整する駆動ファン駆動回路である。
【００７１】
次に、制御部Ｈが実行する運転について説明を加える
尚、操作部ＳＳにより、洗浄運転、すすぎ運転、乾燥運転、消臭運転の順に運転させる連続運転コースや、乾燥運転のみ運転させる乾燥のみコースなど各種の運転コースを選択できるように構成され、さらに、連続運転コースとして、標準運転コース、念入り運転コース、スピーディ運転コース、快速運転コースを選択できるように構成されているが、本実施形態においては、連続コースの標準運転コースについてのみ説明する。
【００７２】
図１５のフローチャートに基づいて、制御部Ｈの制御作動について説明する。
先ず、収納スイッチＮにより、引出し部２が本体部１の収納位置に収納されることが検出され（＃１）、操作部ＳＳの電源スイッチがＯＮ操作され（＃２）、運転コースの選択が行われ（＃３）、操作部ＳＳのスタートスイッチがＯＮ操作されると（＃４）、選択された運転コースが実行されることになる。
【００７３】
以下、連続コースの標準運転コースが選択されて、操作部ＳＳのスタートスイッチがＯＮ操作された場合であるとして、説明を続ける。
操作部ＳＳスタートスイッチがＯＮ操作された後は、先ず、洗浄運転（＃５）、その洗浄運転後の排水運転（＃６）が実行され、次に、すすぎ運転（＃７）、そのすすぎ運転後の排水運転（＃８）が実行される。そして、すぎ運転が２回終了したか否かが判別されて（＃９）、２回終了していない場合には、すすぎ運転（＃７）、そのすすぎ運転後の排水運転（＃８）が再び実行される。
【００７４】
＃９にて、すぎ運転が２回終了したと判別した場合には、加熱すすぎ運転（＃１０）、その加熱すすぎ運転後の排水運転（＃１１）が実行され、引き続き、乾燥運転（＃１２）、消臭運転（＃１３）が順次実行される。
【００７５】
洗浄運転は、先ず、第１開閉弁Ｖ１及び第２開閉弁Ｖ２を開弁して、給水路４Ａ及び洗浄槽用分岐路４Ｂを通して給水口５から洗浄空間Ｑ内に湯水を供給することに加えて、除湿用分岐路４Ｃを通して除湿部Ｇに湯水を供給して、その除湿部Ｇから空気吸引口２２を通して洗浄空間Ｑ内に湯水を供給する。そして、洗浄空間Ｑの水位が洗浄用水位Ｙ２に達したことが水位検出センサＪにて検出されると、第１開閉弁Ｖ１及び第２開閉弁Ｖ２を閉じて、洗浄空間Ｑへの湯水の供給を停止する。
【００７６】
その後、兼用ポンプ６を正転作動させ且つ加熱ヒータ９を作動させて、洗浄水を洗浄ノズル８から洗浄対象物に向けて噴出する洗浄動作を、洗浄運転用設定時間が経過するまで行うことになる。
尚、使用者が操作部ＳＳのスタートスイッチをＯＮ操作する前に洗浄用洗剤を洗浄槽Ｄ内に投入しておくことにより、洗剤を用いた洗浄を行うことができる。
【００７７】
洗浄運転後の排水運転は、兼用ポンプ６を逆転作動させ、洗浄槽Ｄ内の湯水を排水する排水動作を開始し、その後、水位検出センサＪにて湯水排出水位Ｙ１ａが検出されると、その時点から、洗浄排水用の設定時間が経過するまで、排水動作を継続して行うことになるが、その詳細は後述する。
【００７８】
すすぎ運転は、上述の洗浄運転と同様に、洗浄空間Ｑに湯水を供給して、水位検出センサＪにて洗浄用水位Ｙ２が検出されると、湯水の供給を停止することになる。
その後、兼用ポンプ６および加熱ヒータ９を作動させて、加熱ヒータ９にて加熱されたすすぎ水により洗浄対象物のすすぎを設定時間が経過するまで行うことになる。
【００７９】
すすぎ運転後の排水運転は、洗浄運転後の排水運転と同様に、兼用ポンプ６を逆転作動させて、洗浄槽Ｄ内の湯水を排水する排水動作を、水位検出センサＪにて湯水排出水位Ｙ１ａが検出された後、洗浄排水用の設定時間が経過するまで継続して行うことになる。
【００８０】
加熱すすぎ動作は、上述の洗浄運転と同様に、洗浄空間Ｑに湯水を供給して、水位検出センサＪにて洗浄用水位Ｙ２が検出されると、湯水の供給を停止することになる。
その後、兼用ポンプ６および加熱ヒータ９を作動させて、加熱ヒータ９にて加熱されたすすぎ水により洗浄対象物のすすぎを行うことになり、そして、図外の温度センサにより、すすぎ水の温度が仕上げ用設定温度（例えば、６７℃）になると、加熱すすぎ動作を終了することになる。
【００８１】
加熱すすぎ運転後の排水運転は、洗浄運転後の排水運転と同様に、兼用ポンプ６を逆転作動させて、洗浄槽Ｄ内の湯水を排水する排水動作を、水位検出センサＪにて湯水排出水位Ｙ１ａが検出された後、洗浄排水用の設定時間が経過するまで継続して行うことになる。
【００８２】
乾燥運転は、電気式の加熱ヒータ９を加熱作用させた状態で、循環ファン２３の通風作動及び噴出ノズル２５からの除湿用の湯水の噴出作動を行わせることになり、その状態を乾燥用設定時間（例えば、２５分）が経過するまで継続させる。
そして、乾燥運転中において、水位検出センサＪにて上述した湯水増加水位Ｙ１ｂであることが検出されると、乾燥用の排水運転を行うことになる。
この乾燥用の排水運転は、兼用ポンプ６を逆転作動させて排水する排水動作を、乾燥排水用の設定時間が経過するまで行うことになるが、その詳細は後述する。
【００８３】
尚、この乾燥運転中において、水位検出センサＪにて湯水増加水位Ｙ１ｂを検出するということは、本実施形態の場合には、水位検出センサＪが、湯水排出水位Ｙ１ａを検出する状態から検出しない状態に変化したことを意味するものである。
つまり、本実施形態の場合には、後述の如く、水位検出センサＪが検出可能な範囲の最低水位が、湯水排出水位Ｙ１ａであるため、水位検出センサＪが湯水排出水位Ｙ１ａを検出しなくなるということ、換言すれば、湯水増加水位Ｙ１ｂを検出するということは、洗浄空間Ｑの底部には、湯水排出水位Ｙ１ａよりも少し高い水位の湯水が貯留されたことになる。
【００８４】
ちなみに、水位検出センサＪが検出可能な範囲の最低水位を、湯水排出水位Ｙ１ａよりも低い水位となるように構成する場合には、水位検出センサＪが、湯水排出水位Ｙ１ａを検出したことをもって、洗浄空間Ｑの底部に、湯水増加水位Ｙ１ｂに相当する水位の湯水が貯留された状態であるとすることができる。つまり、湯水排出水位Ｙ１ａを、湯水増加水位Ｙ１ｂとして用いることができるものとなる。
【００８５】
消臭運転は、電気式の加熱ヒータ９を停止させた状態で、循環ファン２３の通風作動及び噴出ノズル２５の除湿用水の噴出作動を行わせることになり、その状態を消臭用設定時間が経過するまで行う。
そして、消臭運転中において、乾燥運転の場合と同様に、水位検出センサＪにて湯水増加水位Ｙ１が検出されると、消臭用の排水運転を行うことになる。
この消臭用の排水運転は、乾燥用の排水運転と同様に、兼用ポンプ６を逆転作動させて排水する排水動作を、乾燥排水用の設定時間と同じ時間に設定される消臭排水用の設定時間が経過するまで行うことになる。
【００８６】
尚、図１６のフローチャートには例示しないが、制御部Ｈは、給水路４Ａ、洗浄槽用分岐路４Ｂ及び除湿用分岐路４Ｃを通して洗浄空間Ｑに供給される単位時間当たりの湯水供給量よりも単位時間当たりの排水量を多くする状態で兼用ポンプ６を作動させるように構成されるものであり、そして、洗浄運転やすすぎ運転において、第１開閉弁Ｖ１及び第２開閉弁Ｖ２を開き状態にして湯水を洗浄槽Ｄの洗浄空間Ｑに供給しているときに、水位検出センサＪにて異常水位Ｙ３が検出されたときには、第１開閉弁Ｖ１及び第２開閉弁Ｖ２を閉じ状態にし、且つ、兼用ポンプ６を排水のために作動させる漏水防止運転処理を実行するように構成されている。
【００８７】
そして、漏水防止運転処理を実行しているときに、水位検出センサＪにて上述した洗浄水位Ｙ２よりも低い水位であることが検出されると、制御部Ｈは、兼用ポンプ６を停止させて漏水防止運転処理を停止するように構成されている。
ちなみに、水位検出センサＪにて洗浄用水位Ｙ２よりも低い水位であることが検出されるときとは、水位検出センサＪが洗浄用水位Ｙ２を検出している状態から洗浄用水位Ｙ２を検出しない状態に変化したときである。
【００８８】
また、本実施形態においては、制御部Ｈが、洗浄運転、すすぎ運転及び加熱すすぎ運転の夫々の後で行う排水運転（以下、洗浄用排水運転と呼称）を実行するときに、水位検出センサＪにて洗浄水位Ｙ２から湯水排出水位Ｙ１ａであることが検出されるまでの移行時間を計測して、その移行時間に基づいて、上述した洗浄排水用の設定時間を設定するように構成されている。
【００８９】
つまり、洗浄用水位Ｙ２から湯水排出水位Ｙ１ａになるまでに兼用ポンプ６にて排出される湯水の量（例えば、２．３Ｌ（リットル））を、移行時間にて除算して、兼用ポンプ６の単位時間当たりの排水量を求めて、この単位時間当たりの排水量にて、湯水排出水位Ｙ１ａにおいて洗浄空間Ｑに残存する湯水の量（例えば、０．７Ｌ（リットル））を除算することにより、湯水排出水位Ｙ１において洗浄空間Ｑに残存する湯水の量を兼用ポンプ６にて排出するのに要する時間を求め、この時間に余裕時間（例えば、２秒）を加えた時間を、洗浄排水用の設定時間として設定するように構成されている。
【００９０】
さらに、本実施形態においては、制御部Ｈが、乾燥運転中に行う乾燥用排水運転における上述の乾燥排水用の設定時間、及び、消臭運転中に行う消臭用排水運転における上述の消臭排水用の設定時間を、上記した移行時間に基づいて設定するように構成されている。
この乾燥排水用の設定時間、及び、消臭排水用の設定時間は、上記した洗浄排水用の設定時間を設定する場合と同様に行うように構成されている。
【００９１】
すなわち、乾燥排水用の設定時間、及び、消臭排水用の設定時間は、上記した洗浄排水用の設定時間と同じ時間に設定することができるが、別個に演算するようにしてある。
つまり、上述の如く、乾燥運転や消臭運転において、水位検出センサＪにて湯水増加水位Ｙ１ｂが検出されるとは、湯水排出水位Ｙ１ａよりも少し多めの湯水が貯留されて、水位検出センサＪが、湯水排出水位Ｙ１ａを検出する状態から湯水増加水位Ｙ１ｂを検出する状態に変化することを意味するものであるから、湯水増加水位Ｙ１ｂにおいて洗浄空間Ｑに残存する湯水の量は、水位検出センサＪにて湯水排出水位Ｙ１ａが検出されたときに洗浄空間Ｑに残存する湯水の量（例えば、０．７Ｌ（リットル））よりも少し多い量（例えば、０．７５Ｌ（リットル））となるから、この量に基づいて、乾燥排水用の設定時間、及び、消臭排水用の設定時間を求めるように構成されている。
【００９２】
加えて、本実施形態においては、制御部Ｈが、計測した移行時間を記憶する、つまり、移行時間を計測するごとに、その移行時間を更新記憶するように構成されており、洗浄用排水運転を開始したときに、水位検出センサＪが洗浄用水位Ｙ２よりも下方の水位であることを検出しない場合には、記憶した移行時間を、計測した移行時間として用いるように構成されている。
【００９３】
また、本実施形態においては、兼用ポンプ６の排水能力が、直流モータ６ａを目標回転速度（例えば、３４００回転／分）にて駆動する能力に調整するように構成されている。
つまり、制御部Ｈは、兼用ポンプ６の回転速度を検出する回転速度検出手段としての回転速度センサＭ（図１４参照）の検出情報に基づいて、兼用ポンプ６を目標回転速度（例えば、３４００回転／分）にて駆動すべく、直流モータ６ａに供給する駆動電圧を比例積分制御により求めて、その駆動電圧を指令電圧として、直流モータ駆動回路６Ａに指令する回転速度調整処理（以下、ＦＢ制御と略称）を実行するように構成されている。
【００９４】
以下、排水運転（洗浄用排水運転）の制御作動について、図１６のフローチャートに基づいて説明する。
先ず、兼用ポンプ６を目標回転速度にて逆転駆動することが開始される（＃２１）。ちなみに、図１６のフローチャートは、制御作動を分かり易く記載するために、＃２１の処理が、最初に１回だけ行われるように記載しているが、実際は、兼用ポンプ６を目標回転速度で駆動するためのＦＢ制御が、兼用ポンプ６を目標回転速度で駆動する間は、繰り返し行われることになる。
【００９５】
次に、洗浄用排水運転を開始したときに、水位検出センサＪにて検出される水位が洗浄用水位Ｙ２であるか否かが判別される（＃２２）。
＃２２にて、水位検出センサＪにて検出される水位が洗浄用水位Ｙ２であると判別されたときには、次に、水位検出センサＪにて検出される水位が洗浄用水位Ｙ２から変化したか、つまり、水位が洗浄用水位Ｙ２よりも低くなったか否かが判別される（＃２３）。
【００９６】
＃２３にて、水位検出センサＪにて検出される水位が洗浄用水位Ｙ２から変化したことが判別されると、上述の移行時間を計測するためのタイマの計測がスタートされ（＃２４）、次に、水位検出センサＪにて検出される水位が湯水排出水位Ｙ１ａであるか否かが判別される（＃２５）
【００９７】
＃２５にて、水位検出センサＪにて検出される水位が湯水排出水位Ｙ１ａであることが判別されると、タイマの計測が停止され、且つ、その計測時間が、上述の移行時間として、更新記憶され（＃２６）、次に、その移行時間に基づいて、洗浄排水用の設定時間が演算されて設定される（＃２７）。この洗浄排水用の設定時間を設定する手順は、上述の通りであるので、ここでの説明は省略する。
【００９８】
＃２７にて、洗浄排水用の設定時間が演算されて設定された後は、洗浄排水用の設定時間が経過したか否かが判別され（＃２８）、洗浄排水用の設定時間が経過すると、兼用ポンプ６が停止され（＃２９）、その後、次の運転に移行することになる。
【００９９】
＃２２にて、水位検出センサＪにて検出される水位が洗浄用水位Ｙ２でないと判別したときには、洗浄空間Ｑに貯留される湯水の水位が洗浄用水位Ｙ２よりも低い状態であるので、移行時間の計測処理を行うことなく、水位検出センサＪにて検出される水位が湯水排出水位Ｙ１ａであるか否かを判別し（＃３０）、湯水排出水位Ｙ１ａであることが判別されると、＃２７の処理に移行することになる。
尚、＃２７の処理にては、更新記憶されている移行時間に基づいて、洗浄排水用の設定時間が演算されて設定されることになる。
【０１００】
次に、乾燥運転における乾燥用排水運転を説明する。
すなわち、乾燥運転を説明しながら、乾燥運転中に行う乾燥用排水運転の制御作動について、図１７のフローチャートに基づいて説明する。
【０１０１】
先ず、加熱ヒータ９及び循環ファン２３の作動が開始され、且つ、除湿用湯水の供給が開始される（＃３１）。
次に、兼用ポンプ６が駆動中である排水運転中であるか否かが判別され（＃３２）、排水運転中でない場合には、水位検出センサＪの検出水位が湯水排出水位Ｙ１ａであるか否かが判別される（＃３３）。つまり、本実施形態では、水位検出センサＪの検出水位が湯水排出水位Ｙ１ａを検出する状態から湯水増加水位Ｙ１ｂを検出する状態に変化したことが検出されて、除湿処理後の湯水及び凝縮水が湯水増加位Ｙ１ｂに相当する水位まで貯留された状態であることが判別される。
【０１０２】
＃３３にて、湯水増加水位Ｙ１ｂでないことを判別した場合には、乾燥運転を開始してからの経過時間が乾燥用設定時間（例えば、２５分）を経過したかが判別され（＃３９）、乾燥用設定時間が経過している場合には、加熱ヒータ９、循環ファン２３、兼用ポンプ６の作動を停止し、且つ、除湿用湯水の供給を停止して（＃４０）、次の運転に移行することになる。
また、＃３９にて、乾燥用設定時間が経過していないと判別した場合には、＃３２の処理に移行する。
【０１０３】
＃３３にて、湯水排増加水位Ｙ１ｂであることを判別した場合には、兼用ポンプ６を目標回転速度にて逆転駆動することが開始されて（＃３４）、乾燥用排水運転が開始されることになる。
ちなみに、図１７のフローチャートは、制御作動を分かり易く記載するために、＃３４の処理が、最初に１回だけ行われるように記載しているが、実際は、兼用ポンプ６を目標回転速度で駆動するためのＦＢ制御が、兼用ポンプ６を目標回転速度で駆動する間は、繰り返し行われることになる。
【０１０４】
＃３４にて、兼用ポンプ６を目標回転速度にて逆転駆動することを開始した後は、上述の移行時間に基づいて、乾燥排水用の設定時間が演算されて設定される（＃３５）。
この乾燥排水用の設定時間を設定する手順は、上述の通りであるので、ここでの説明は省略する。
【０１０５】
次に、水位検出センサＪの検出水位が湯水増加水位Ｙ１ｂから変化したか否かが判別される（＃３６）。つまり、本実施形態の場合には、水位検出センサＪの検出水位が、湯水増加水位Ｙ１ｂを検出している状態から湯水排出水位Ｙ１ａを検出する状態に変化したか否かが判別される。
【０１０６】
＃３６にて、水位検出センサＪの検出水位が湯水増加水位Ｙ１ｂから変化したことが検出された場合には、その時点からの経過時間が乾燥排水用の設定時間を経過したか否かが判別され（＃３７）、乾燥排水用の設定時間が経過すると、兼用ポンプ６を停止させ（＃３８）、その後、＃３９の処理に移行する。
また、＃３６にて、水位検出センサＪの検出水位が湯水増加水位Ｙ１ｂから変化したことが判別されない場合には、＃３９の処理に移行する。
【０１０７】
＃３２にて、排水運転中であると判別した場合には、水位検出センサＪの検出水位が、既に湯水増加水位Ｙ１ｂから変化したか否かが判別される（＃４１）。
そして、既に湯水増加水位Ｙ１ｂから変化していると判別したときには、＃３７の処理に移行し、既に湯水増加水位Ｙ１ｂから変化していないと判別したときには、＃３６の処理に移行することになる。
【０１０８】
尚、消臭運転における排水運転は、上述した乾燥運転における排水運転と同様であるので、本書にて、その説明を省略する。
【０１０９】
本実施形態の食器洗浄機においては、図４及び図５に示すように、閉じた状態の洗浄空間Ｑの内部圧が機外圧となるように自動調整する圧力調整手段Ｗが設けられている。
すなわち、例えば、洗浄処理において、電気式の加熱ヒータ９を加熱させたときには洗浄空間Ｑ内の温度はかなりの高温（例えば６７℃）になる。その後、洗浄水が排出されて、すすぎ処理のためにすすぎ水が洗浄空間Ｑに供給され、そのすすぎ水が兼用ポンプ６の作動により洗浄ノズル８より噴出されることになるが、そのすすぎ水の温度は低温（例えば１３〜１７℃）である。このため、低温のすすぎ水が洗浄ノズル８から噴出されると、洗浄空間Ｑ内の温度が急激に低下するものとなり、その結果、洗浄空間Ｑ内の多量の空気が急激に収縮し、洗浄空間Ｑの内部圧が大きく減少しようとすることがあるが、このようなときには、圧力調整手段Ｗの作用によって、洗浄空間Ｑの内部圧が機外圧となるように自動調整されることになる。
【０１１０】
圧力調整手段Ｗは、洗浄槽Ｄの背壁ＤＲに形成した連通孔３２を通して、洗浄槽Ｄ内の洗浄空間Ｑと連通して、洗浄空間Ｑ内の圧力を調整するように構成されるものであるが、本実施形態においては、その詳細な構成についての説明は省略する。
尚、圧力調節手段Ｗには、結露水が生じることがあるが、その結露水が水位検出センサＪを介して、洗浄槽Ｄに回収されるように構成されている。
【０１１１】
以下、水位検出センサＪについて説明する。
図７〜図１３に示すように、洗浄槽Ｄの底部に案内管１３にて接続されて、その洗浄槽Ｄ内の湯水が導入される水位検出用の湯水貯留槽４０と、湯水貯留槽４０の内部に装備されて、その湯水貯留槽４０に貯留される湯水の水位に応じて昇降する水位検出用のフロート４１と、フロート４１の本体部４１Ａから上方に延びる軸部４１Ｂを昇降自在に案内する案内部Ｕと、湯水貯留槽４０の上端よりも上方側箇所に位置されて、フロート４１の上下２つの昇降位置を検出する一対の第１水位検出部Ｔ１及び第２検出部Ｔ２とが設けられている。
【０１１２】
湯水貯留槽４０は、横断面形状が４角形状の有底筒状に形成されるものであって、その底部には、上述した案内管１３が接続される連通口として連結用筒部４０Ｃが形成され、そして、その上部に外嵌される蓋体４２にて、上方開口が覆われるようになっている。
【０１１３】
ちなみに、湯水貯留槽４０の上端側部分は、洗浄水受け入れ部４０Ａ、及び、圧力調整手段Ｗからの結露水を受け止める結露水受け部４０Ｂが、外方に突出状態で設けられ、蓋体４２が、洗浄水受け入れ用の貯留部４０Ａ及び結露水受け部４０Ｂを覆う状態に形成され、そして、蓋体４２における結露水受け部４０Ｂを覆う部分には、圧力調整手段Ｗとの連結用の開口部Ｖｋが形成されている。
尚、洗浄水受け入れ部４０Ａの機能については後述する。
【０１１４】
フロート４０の上下２つの昇降位置は、上述した洗浄用水位Ｙ２を検出するための昇降位置（図１１参照）と、上述した湯水排出水位Ｙ１ａを検出するための昇降位置（図１０参照）とであり、第１水位検出部Ｔ１が、高位側の洗浄用水位Ｙ２を検出する昇降位置にフロート４１が位置することを検出し、第２水位検出部Ｔ２が、低位側の湯水排出水位Ｙ１ａを検出する昇降位置にフロート４１が位置することを検出するように構成されている。
【０１１５】
第１水位検出部Ｔ１及び第２検出部Ｔ２が、フォトインタラプタ式の光センサを用いて構成され、第１水位検出部Ｔ１が、蓋体４２の上部に突設した第１センサ取付け部４２ａに装着され、第２水位検出部Ｔ２が、蓋体４２の上部に突設した第２センサ取付け部４２ｂに装着されている。
【０１１６】
また、蓋体４２には、上述した異常水位を検出する異常水位検出用の電極４３が、上端側を蓋体４２の上方に位置させ、且つ、下端側を湯水貯留槽４０内に突出させる状態で設けられている。
つまり、異常水位検出用の電極４３は、図１２に示すように、湯水貯留槽４０の水位が第１水位検出部Ｔ１及び第２検出部Ｔ２のうちの高水位側の第２水位検出部Ｔ１にて検出される水位よりも設定量高くなったときに湯水貯留槽４０に貯留される湯水にて導通される導通される状態で、蓋体４２に装備されている。
【０１１７】
図７及び図１０に示すように、フロート４１の軸部１４Ｂが、フロート１４が複数の昇降位置のうちの低水位側の昇降位置に位置する状態において、つまり、湯水排出水位Ｙ１ａを検出するための昇降位置に位置する状態において、その上端部を湯水貯留槽４０の上端よりも下方に位置させる長さに形成されている。
また、案内部Ｕが、湯水貯留槽４０の上端よりも下方に位置するフロート４０の軸部４０Ｂを案内すべく、湯水貯留槽４０の上端よりも下方に位置して案内するように構成されている。
【０１１８】
そして、第１水位検出部Ｔ１及び第２検出部Ｔ２のうちの低水位側の第２検出部Ｔ２にて検出される被検出部４４ａを備えた揺動レバー４４が、フロート４１の軸部４１Ｂの上端部に連係されて上下に揺動する状態で設けられている。
説明を加えると、揺動レバー４４が、第２センサ取付け部４２ｂに、横軸心Ｘ回りで上下揺動自在に枢支され、その横軸心Ｘの一端側部分が、上述の被検出部４４ａに形成され、横軸心Ｘの他端側部分が、軸部４１Ｂとの連係部４４ｂに形成されている。
連係部４４ｂは、二股状に形成されて、その連係部４４ｂに、軸部４１Ｂの上端が係合されるように構成されている。
【０１１９】
つまり、図１３に示すように、軸部４１Ｂの上端部であって、上端よりも下方側箇所には、左右一対の旗状体４１ａが突設され、軸部４１Ｂの上端には、外れ止め用の突起部４１ｂが左右一対の旗状体４１ａと同方向に突出する状態に形成されている。
そして、揺動レバー４４の二股状の連係部４４ｂが、外れ止め用の突起部４１ｂと左右一対の旗状体４１ａの間に挿入し、且つ、軸部４１の上端が、二股状の連係部４４ｂを貫通する状態となるように構成されている。
【０１２０】
図１１に示すように、フロート４１の軸部４１Ｂが、フロート４１が複数の昇降位置のうちの高水位側の昇降位置に位置する状態において、つまり、洗浄用水位Ｙ２を検出する状態において、その上端部を湯水貯留槽４０の上端よりも上方に位置させる長さに形成されている。
そして、上述した一対の旗状体４１ａのうちの１つが、第１検出部Ｔ１にて検出される被検出部と機能するように構成されている。
【０１２１】
案内部Ｕが、フロート４１の昇降全範囲に亘って、軸部４１Ｂの上端部に設けた一対の旗状体４１ａのうちの１つを係合する案内溝Ｕ１として構成されている。つまり、一対の旗状体４１ａのうち１つが、案内溝Ｕ１に係合される被案内片として機能するように構成されている。
ちなみに、案内部Ｕは、一対の旗状体４１ａのうちの第１検出部Ｔ１にて検出される被検出部と機能する旗状体４１ａが係合する補助案内溝Ｕ２をも備えるように構成されているが、この補助案内溝Ｕ２は、第１検出部Ｔ１の近くまでは存在するものの、被検出部と機能する旗状体４１ａが第１検出部Ｔ１にて検出される箇所では存在しないものであるため、フロート４１の昇降全範囲に亘ってフロート４１を案内するものではない。
【０１２２】
案内部Ｕについて説明を加えると、湯水貯留槽４０の上方開口を覆う蓋体４２が、フロート４１軸部４１Ｂの挿通箇所ほど低位となる状態で水貯留槽の上端よりも下方に突出する下向き凹入部分４２Ａ、及び、案内溝形成用の上方突出部分４２Ｂを備える状態に形成され、案内溝Ｕ１が、蓋体４２における凹入部分４２Ａ及び蓋体の上方突出部分４２Ｂに亘る状態で形成されている。
【０１２３】
また、蓋体４２には、補助案内溝Ｕ２を形成するための補助案内溝形成用の上方突出部分４２Ｃを備える状態に形成され、補助案内溝Ｕ２が、蓋体４２における凹入部分４２Ａ及び蓋体４２の上方突出部分４２Ｃに亘る状態で形成されている。
【０１２４】
そして、本実施形態の水位検出センサＪは、揺動レバー４４が、湯水排出水位Ｙ１ａに相当する下方側位置に揺動したときに、蓋体４２の上面にて受け止められるようになっているため、その検出範囲の最低水位が、湯水排出水位Ｙ１ａに相当することになる。
また、揺動レバー４４に備えさせた被検出部４４ａが、洗浄空間Ｑの湯水の水位が湯水排出水位Ｙ１ａであるときに、低水位側の第２検出部Ｔ２にて検出され、洗浄空間Ｑの湯水の水位が湯水排出水位Ｙ１ａよりも上昇すると、低水位側の第２検出部Ｔ２にて検出されない状態に変化するように構成されている。したがって、本実施形態の水位検出センサＪは、被検出部４４ａが低水位側の第２検出部Ｔ２にて検出される状態から検出されない状態に変化する水位が、湯水増加水位Ｙ１ｂに相当することになる。
【０１２５】
上述の洗浄水受け入れ部４０Ａについて説明を加えると、図５に示すように、排水運転を行うときに、排水管１２を通流する湯水の一部が、分岐管１２ａを通して、水位検出センサＪ側に分岐流動するように構成され、そして、分岐管１２が、洗浄水受け入れ部４０Ａに設けた管接続部４０ａ接続されている。
したがって、排水運転を行うときに、兼用ポンプ６にて排水される湯水の一部が洗浄水受け入れ部４０Ａに流動したのち、湯水貯留槽４０の内部に吐出されることにより、湯水貯留槽４０の壁面を洗浄できるように構成されている。
【０１２６】
〔別実施形態〕
次に別実施形態を説明する。
（イ）上記実施形態においては、湯水断続手段が、給水路を開閉する第１開閉弁と、洗浄槽用分岐路を開閉する第２開閉弁と、除湿用分岐路に装備された定流量弁とから構成される場合を例示したが、これらの弁に加えて、除湿用分岐路を開閉する開閉弁を備えさせるようにしてもよい。
そして、除湿用分岐路を開閉する開閉弁を備えさせる場合には、給水路を開閉する第１開閉弁を省略する形態で実施してもよい。
【０１２７】
（ロ）上記実施形態では、洗浄槽が本体ケース部に対して水平方向に沿って引き出し及び収納自在に設けられる引き出し式の食器洗浄機を例示したが、本体ケース部に洗浄槽が収納されて、本体ケース部の前面扉が開閉されることにより、洗浄槽の洗浄空間が開閉される形態の食器洗浄機についても、本発明は適用できるものである。
【０１２８】
（ハ）上記実施形態では、洗浄用排水運転を実行するごとに、移行時間を計測するように構成したが、最初の洗浄用排水運転において、移行時間を計測して記憶保持しておき、以降は、移行時間を計測しない形態で実施してもよい。
つまり、食器洗浄機を一旦設置した後は、排水揚程が変化しないものであるから、初回の洗浄用排水運転のときに、移行時間を計測して記憶保持しておき、以降は、その記憶した移行時間に基づいて、洗浄排水用の設定時間、乾燥排水用の設定時間、消臭排水用の設定時間を設定する形態で実施してもよい。
【０１２９】
（ニ）上記実施形態では、排水ポンプを直流モータにて駆動する場合を例示したが、排水ポンプを交流モータにて駆動するようにしてもよく、この場合、例えば、洗浄ポンプを設定目標回転速度にて駆動すべく、交流モータに供給する駆動電力を位相制御により調整する構成や、インバータ制御により、駆動周波数及び駆動電圧を調整する構成を採用することができる。
【０１３０】
（ホ）上記実施形態では、正転で洗浄ポンプして機能し、逆転で排水ポンプとして機能する兼用する兼用ポンプを例示したが、洗浄ポンプと排水ポンプとを各別に備える形態で実施しても良い。
【０１３１】
（ヘ）上記実施形態では、回転速度の調整により排水能力を調整する場合を例示したが、例えば、排水ポンプとして可変容量型のポンプを用いて、その容量調整により排水能力を調整するようにする等、排水能力の調整形態は各種変更できる。
【０１３２】
（ト）本発明を実施するに、水位検出手段としては、上記実施形態に記載の水位検出センサに代えて、種々の形態のものを適用できるものである。例えば、上記実施形態中においても述べた如く、湯水排出水位と湯水増加水位とを同じ水位に設定する形態で構成してもよい。
【符号の説明】
【０１３３】
６      排水ポンプ
９      加熱手段
２１    空気供給口
２２    空気吸引口
２３    通風手段
２５    噴出手段
Ｄ      洗浄槽
Ｅ      湯水断続手段
Ｆ      通風経路
ｆ１    上昇経路部分
ｆ２    下降経路部分
Ｇ      除湿部
Ｈ      制御手段
Ｊ      水位検出手段
Ｑ      洗浄空間
Ｙ１ａ  湯水排出水位
Ｙ１ｂ  湯水増加水位
Ｙ２  洗浄用水位
【図１】
0005763319.tif 000002
【図２】
0005763319.tif 000003
【図３】
0005763319.tif 000004
【図４】
0005763319.tif 000005
【図５】
0005763319.tif 000006
【図６】
0005763319.tif 000007
【図７】
0005763319.tif 000008
【図８】
0005763319.tif 000009
【図９】
0005763319.tif 000010
【図１０】
0005763319.tif 000011
【図１１】
0005763319.tif 000012
【図１２】
0005763319.tif 000013
【図１３】
0005763319.tif 000014
【図１４】
0005763319.tif 000015
【図１５】
0005763319.tif 000016
【図１６】
0005763319.tif 000017
【図１７】
0005763319.tif 000018